(57)【要約】【課題】重要書類を印刷した際、履歴を残し後に参照することにより、重要書類複写の追跡ができるようにすること。【解決手段】少なくとも画像および画像形成履歴のデータを記憶する記憶媒体に記憶されているデータを読み取る記憶データ読み取り部７と、記憶データ読み取り部７により読み取るときにその読み取りの履歴を記憶媒体へ書き込むデータ書込部８と、記憶媒体に記憶されているデータに基づいて画像形成を行う画像形成部５とを備える。【選択図】図１
2007193225.tif 000002
【特許請求の範囲】
【請求項１】
少なくとも画像および画像形成履歴のデータを記憶する記憶媒体に記憶されているデータを読み取る読取手段と、
前記記憶媒体のデータを前記読み取り手段により読み取るときにその読み取りの履歴を前記記憶媒体へ書き込む書込手段と、
前記データ読み取り手段により読み出した前記記憶媒体に記憶されているデータに基づいて画像形成を行う画像形成手段と
を備えることを特徴とする画像形成装置。
【請求項２】
前記読み取りの履歴は、前記記憶媒体のデータが前記読み取り手段により読み取られた年、日付、時間と、読み取りが行われた画像形成装置の固有番号と、印刷等出力が行われた年、日付、時間と、印刷等出力された画像等データのタイトル、枚数のうちの少なくとも１つを含むことを特徴とする請求項１記載の画像形成装置。
【請求項３】
前記記憶媒体のデータが前記記載の読み取り手段により読み取られ、その画像等のデータが印刷要求により印刷され印刷完了通知が出た後、画像形成装置内の印刷データの消去を行うことを特徴とする請求項１または２記載の画像形成装置。
【請求項４】
前記記憶媒体のデータが前記読み取り手段により読み取り可能と判断されるとき、印刷準備を行い印刷を行うか否かを選択させる選択手段を備えることを特徴とする請求項１から３のいずれか１項に記載の画像形成装置。
【請求項５】
前記記憶媒体のデータが前記読み取り手段により読み取り可能と判断されるとき、省エネルギー状態から画像形成可能な状態へ復帰することを特徴とする請求項１から４のいずれか１項に記載の画像形成装置。
【発明の詳細な説明】
【技術分野】
【０００１】
本発明は、無線通信方式の記憶装置を用い、その中の画像等のデータを読み取り部で読み取り、読み取ったデータを印刷する機能を備えた画像形成装置に関する。
【背景技術】
【０００２】
従来、画像形成装置により、記憶媒体に保存された印刷データに基づいて印刷処理を行うことがなされていた。ここで、印刷データの機密性を確保することが種々の場面で必要となっており、その解決手法が提案されている。
【０００３】
例えば、特許文献１には、ネットワーク対応型のプリンタ装置を利用した画像形成システムにおいて、識別子が関連付けられている画像データを格納する記憶装置と、所定の記憶媒体に記録されている第二の識別子を照合し一致すると判断された場合、画像データに基づいて画像形成を行う画像形成手段を備え、機密性の高い印刷データを保護し、また、その記憶媒体には無線タグを使用することでセキュリティ文書を印刷する場合、画像形成を行う際の認証処理を容易に行うことができる技術が開示されている。
【特許文献１】特開２００５−０１１５５号公報
【発明の開示】
【発明が解決しようとする課題】
【０００４】
しかしながら、上述した従来例では、ネットワークを介して印刷をするため、印刷データをプリンタ装置に送信する間などに不正アクセス等により印刷データが盗られてしまう恐れがあるという問題があった。
【０００５】
本発明は、以上説明した事情に鑑みてなされたものであり、その目的は、重要書類を印刷した際、履歴を残し後に参照することにより、重要書類複写の追跡ができるようにすることである。
【課題を解決するための手段】
【０００６】
請求項１記載の発明は、少なくとも画像および画像形成履歴のデータを記憶する記憶媒体に記憶されているデータを読み取る読取手段と、記憶媒体のデータを読み取り手段により読み取るときにその読み取りの履歴を記憶媒体へ書き込む書込手段と、データ読み取り手段により読み出した記憶媒体に記憶されているデータに基づいて画像形成を行う画像形成手段とを備えることを特徴とする画像形成装置である。
【０００７】
請求項２記載の発明は、請求項１記載の画像形成装置において、読み取りの履歴は、記憶媒体のデータが読み取り手段により読み取られた年、日付、時間と、読み取りが行われた画像形成装置の固有番号と、印刷等出力が行われた年、日付、時間と、印刷等出力された画像等データのタイトル、枚数のうちの少なくとも１つを含むことを特徴とする。
【０００８】
請求項３記載の発明は、請求項１または２記載の画像形成装置において、記憶媒体のデータが記載の読み取り手段により読み取られ、その画像等のデータが印刷要求により印刷され印刷完了通知が出た後、画像形成装置内の印刷データの消去を行うことを特徴とする。
【０００９】
請求項４記載の発明は、請求項１から３のいずれか１項に記載の画像形成装置において、記憶媒体のデータが読み取り手段により読み取り可能と判断されるとき、印刷準備を行い印刷を行うか否かを選択させる選択手段を備えることを特徴とする。
【００１０】
請求項５記載の発明は、請求項１から４のいずれか１項に記載の画像形成装置において、記憶媒体のデータが読み取り手段により読み取り可能と判断されるとき、省エネルギー状態から画像形成可能な状態へ復帰することを特徴とする。
【発明の効果】
【００１１】
本発明によれば、重要書類を印刷した際、履歴を残し後に参照することにより、重要書類複写の追跡ができるようにすることができる。
【発明を実施するための最良の形態】
【００１２】
以下、本発明の実施の形態について図面を参照して詳細に説明する。
【００１３】
本発明の実施の形態について図１を用いて説明を行う。本実施の形態における画像形成装置１は、給紙部２と、原稿搬送部３と、原稿読み取り部４と、画像形成部５と、排紙部６と、記憶データ読み取り部７と、データ書き込み部８から構成されている。なお、原稿搬送部３は、原稿読み取り部４と同様の位置にあってもよい。
【００１４】
ここで、記憶データ読み取り部７によみとられる記憶媒体として、例えば、情報を記憶しておくＩＣチップと無線通信用のアンテナを組み合わせた小型装置（ＲＦＩＤ）や、人体上の微弱電界を光学式電界センサで検出することにより、ＴＣＰ／ＩＰで双方向通信を実現する人体通信装置がある。
【００１５】
図２は、本実施の形態における画像形成装置１の構成を示すブロック図である。画像形成装置１は、制御部１１と、記憶部１２と、操作部１３と、画像入力部１４と、画像出力部１５を備えており、これらは信号をやり取りするためのバス１６を介して相互にやり取りを行う。
【００１６】
次に、図３を参照して、画像形成の処理手順のフローについて詳細に説明する。
【００１７】
記憶媒体のデータから印刷処理を行う場合には、まず画像形成装置を印刷可能状態にする（ステップ１００）。
【００１８】
印刷可能状態にし印刷準備が完了した後、記憶データ読み取り部７は、記憶媒体が接近もしくは接触しているかどうか判断する（ステップ１０１）。ステップ１０１が否ならば準備完了状態のまま待ち、ステップ１０１で接近もしくは接触している記憶媒体があれば、画像形成装置１に備えられた表示部に印刷を行うか否かの指示を行う画面が表示される（ステップ１０２）。
【００１９】
ステップ１０２が否ならば準備完了状態になり、可ならば接近もしくは接触している記憶媒体からのデータ読み取りを開始する（ステップ１０３）。
【００２０】
記憶媒体からのデータは、画像形成装置１内の記憶部１２に格納される（ステップ１０４）。
【００２１】
そして、画像形成装置１は印刷処理を実行（ステップ１０５）し、印刷処理が完了（ステップ１０６）する。
【００２２】
次に、図４を参照して、画像形成の際、記憶媒体に履歴を書き込む処理手順のフローについて詳細に説明する。
【００２３】
記憶媒体のデータから印刷処理を行う場合には、まず画像形成装置を印刷可能状態にする（ステップ２００）。
【００２４】
印刷可能状態にし印刷準備が完了した後、記憶データ読み取り部７は、記憶媒体が接近もしくは接触しているかどうか判断する（ステップ２０１）。ステップ２０１が否ならば準備完了状態のまま待ち、ステップ２０１で接近もしくは接触している記憶媒体があれば、画像形成装置１に備えられた表示部に印刷を行うか否かの指示を行う画面が表示される（ステップ２０２）。
【００２５】
ステップ１０２が否ならば準備完了状態になり、可ならば接近もしくは接触している記憶媒体からのデータ読み取りを開始する（ステップ２０３）。
【００２６】
記憶媒体からのデータは、画像形成装置１内の記憶部１２に格納される（ステップ２０４）。
【００２７】
ステップ２０４の後、データ書き込み部８はその読み取り履歴を記憶媒体に書き込む（ステップ２０５）。読み取り履歴とは、読み取りが行われた年月日と時間、読み取り処理が行われた画像形成装置の固有ナンバーである。
【００２８】
そして、画像形成装置１は印刷処理を実行（ステップ２０６）する。
【００２９】
印刷処理が完了（ステップ２０７）した後、データ書き込み部８は印刷の履歴を記憶媒体に書き込む（ステップ２０８）。
【００３０】
次に、図５を参照して、画像形成装置１により印刷処理が行われた後、画像形成装置１の記憶部１２内の印刷データの消去を行う際の処理手順のフローについて詳細に説明する。
【００３１】
記憶媒体のデータから印刷処理を行う場合には、まず画像形成装置を印刷可能状態にする（ステップ３００）。
【００３２】
印刷可能状態にし印刷準備が完了した後、記憶データ読み取り部７は、記憶媒体が接近もしくは接触しているかどうか判断する（ステップ３０１）。ステップ３０１が否ならば準備完了状態のまま待ち、ステップ３０１で接近もしくは接触している記憶媒体があれば、画像形成装置１に備えられた表示部に印刷を行うか否かの指示を行う画面が表示される（ステップ３０２）。
【００３３】
ステップ１０２が否ならば準備完了状態になり、可ならば接近もしくは接触している記憶媒体からのデータ読み取りを開始する（ステップ３０３）。
【００３４】
記憶媒体からのデータは、画像形成装置１内の記憶部１２に格納される（ステップ３０４）。
【００３５】
ステップ３０４の後、データ書き込み部８はその読み取り履歴を記憶媒体に書き込む（ステップ３０５）。読み取り履歴とは、読み取りが行われた年月日と時間、読み取り処理が行われた画像形成装置の固有ナンバーである。
【００３６】
そして、画像形成装置１は印刷処理を実行（ステップ３０６）する。
【００３７】
印刷処理が完了（ステップ３０７）した後、データ書き込み部８は印刷の履歴を記憶媒体に書き込む（ステップ３０８）。
【００３８】
ステップ３０８の後、画像形成装置１は記憶部１２内の印刷データの消去を行う（ステップ３０９）。
【００３９】
次に、図６を参照して、画像形成装置１により印刷準備をし、印刷実行するか選択させる処理手順のフローについて詳細に説明する。
【００４０】
記憶媒体のデータから印刷処理を行う場合には、まず画像形成装置を印刷可能状態にする（ステップ４００）。
【００４１】
印刷可能状態にし印刷準備が完了した後、記憶データ読み取り部７は、記憶媒体が接近もしくは接触しているかどうか判断する（ステップ４０１）。ステップ４０１が否ならば記憶データ読み取り部７が読み取り可能状態のまま待ち、ステップ４０１で接近もしくは接触している記憶媒体があれば、画像形成装置１は印刷準備を行い完了させる（ステップ４０２）。
【００４２】
ステップ４０２の後、画像形成装置１に備えられた表示部に印刷を行うか否かの指示を行う画面が表示される（ステップ４０３）。
【００４３】
ステップ１０２が否ならば準備完了状態になり、可ならば接近もしくは接触している記憶媒体からのデータ読み取りを開始する（ステップ４０４）。
【００４４】
記憶媒体からのデータは、画像形成装置１内の記憶部１２に格納される（ステップ４０５）。
【００４５】
そして、画像形成装置１は印刷処理を実行（ステップ４０６）し、印刷処理が完了する（ステップ４０７）。
【００４６】
次に、図７を参照して、画像形成装置１が省エネルギー状態から復帰する処理手順のフローについて詳細に説明する。
【００４７】
画像形成装置１が省エネルギー状態にあるとき（ステップ５００）、記憶データ読み取り部７に記憶媒体があるかどうか判断する（ステップ５０１）。
【００４８】
ステップ５０１が否ならば画像形成装置１は省エネルギー状態のまま待ち、ステップ５０１で接近もしくは接触している記憶媒体があれば、画像形成装置１は省エネルギー状態から復帰する（ステップ５０２）。
【００４９】
ステップ５０２の後、画像形成装置１に備えられた表示部に印刷を行うか否かの指示を行う画面が表示される（ステップ５０３）。
【００５０】
ステップ１０２が否ならば準備完了状態になり、可ならば接近もしくは接触している記憶媒体からのデータ読み取りを開始する（ステップ５０４）。
【００５１】
記憶媒体からのデータは、画像形成装置１内の記憶部１２に格納される（ステップ５０５）。
【００５２】
そして、画像形成装置１は印刷処理を実行（ステップ５０６）し、印刷処理が完了する（ステップ５０７）。
【００５３】
上記の実施の形態によれば、記憶媒体からデータを読み取って印刷できる装置があれば、ネットワークに接続せずに直接その記憶媒体のデータを印刷することができる。
【００５４】
また、重要書類等を印刷した際、読み取りされた履歴と印刷出力が行われた履歴を残し後に参照することにより、文書複写の追跡ができる。
【００５５】
また、データを印刷する際、印刷装置の中に機密データを残してしまわず、盗取されにくい。
【００５６】
また、印刷等準備を自ら行わなくても、画像等データを記憶した記憶媒体を読み取り手段に接近もしくは接触させるだけで印刷を行うことができる。
【００５７】
また、省エネルギー状態（装置の省電力化を図るべく、無操作状態の継続時間に基づいて定着部の保持温度や表示部の照明を通常時よりも低減している状態）にある画像形成装置１を、画像等データを記憶した記憶媒体を読み取り手段に接近もしくは接触させることで省エネルギー状態から復帰させることができる。
【００５８】
なお、上述する各実施の形態は、本発明の好適な実施の形態であり、本発明の要旨を逸脱しない範囲内において種々変更実施が可能である。例えば、上記の記憶媒体を身体密着もしくは埋め込み式にすると、重要データ出力に際しそれを扱う本人認証が同時にできるので、パスワード照合などのシステムを使用せずセキュリティを保ったまま機密文書の出力が容易になる。
【００５９】
また、上記の実施の形態における画像形成装置１の機能を実現するためのプログラムを本装置に読込ませて実行することにより本装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【００６０】
上述する各実施の形態は、画像形成装置１の各機能が１つのコンピュータシステムとして実現されている構成について説明したが、機能毎に複数の装置などが追加された構成にも適用可能であることはもちろんである。
【図面の簡単な説明】
【００６１】
【図１】本発明の実施の形態における画像形成装置の概略図である。
【図２】本発明の実施の形態における画像形成装置のブロック図である。
【図３】本発明の実施の形態における画像形成の処理手順を示すフローチャートである。
【図４】本発明の実施の形態における記憶媒体に履歴を書き込む処理手順を示すフローチャートである。
【図５】本発明の実施の形態における印刷処理が行われた後、画像形成装置の記憶部内の印刷データの消去を行う処理手順を示すフローチャートである。
【図６】本発明の実施の形態における印刷準備をし、印刷実行するか選択させる処理手順を示すフローチャートである。
【図７】本発明の実施の形態における画像形成装置が省エネルギー状態から復帰する処理手順を示すフローチャートである。
【符号の説明】
【００６２】
１    画像形成装置
２    給紙部
３    原稿搬送部
４    原稿読み取り部
５    画像形成部
６    排紙部
７    記憶データ読み取り部
【図１】
2007193225.tif 000003
【図２】
2007193225.tif 000004
【図３】
2007193225.tif 000005
【図４】
2007193225.tif 000006
【図５】
2007193225.tif 000007
【図６】
2007193225.tif 000008
【図７】
2007193225.tif 000009